(57)【要約】【課題】  流入する汚水の水質が変動しても、ＢＯＤとリンとを安定して除去できる汚水処理方法を提供する。【解決手段】  生物処理部内に含まれるＢＯＤとリンとを最適な重量比になるように制御することにより、微生物がＢＯＤとリンとを過不足なく取り込んで、効率的かつ安定に、ＢＯＤとリンとを生物学的に除去する。【選択図】図１ 
2005169206.tif 000002
【特許請求の範囲】
【請求項１】
（ａ）汚水に含まれる汚泥を分離する第１沈殿池、
（ｂ）前記第１沈殿池で生成する上澄みを複数に分流させる分流手段、
（ｃ）分流された上澄みの少なくとも一部を貯留する第１貯留槽、
（ｄ）分流された上澄みの残りが導入される生物処理部、
（ｅ）前記生物処理部から排出された上澄み処理水に含まれる汚泥を分離する第２沈殿池、
（ｆ）前記第１沈殿池および前記第２沈殿池で分離された汚泥が導入される汚泥処理部、ならびに
（ｇ）前記汚泥処理部から排出された汚泥処理水を、前記生物処理部に移送する前に、一時的に貯留する第２貯留槽
からなるシステムを用いる汚水処理法であって、
前記生物処理部におけるＢＯＤの濃度を調節するとともに、前記生物処理部におけるＢＯＤとリンとの重量比が、ＢＯＤ１００重量部あたりリン０．３〜４重量部の範囲になるように、
（イ）前記第１沈殿池から直接前記生物処理部に移送される上澄みの量、
（ロ）前記第１貯留槽から前記生物処理部に移送される上澄みの量、および
（ハ）前記第２貯留槽から前記生物処理部に移送される汚泥処理水の量が調節される、汚水処理方法。
【請求項２】
前記システムは、さらに、
（１）前記第１沈殿池から直接前記生物処理部に移送される上澄みの水質を測定する第１の計測手段、
（２）前記第１貯留槽から前記生物処理部に移送される上澄みの水質を測定する第２の計測手段、ならびに
（３）前記第２貯留槽から前記生物処理部に移送される汚泥処理水の水質を測定する第３の計測手段、
を有しており、
前記第１沈殿池から直接前記生物処理部に移送される上澄みの量、前記第１貯留槽から前記生物処理部に移送される上澄みの量、および前記第２貯留槽から前記生物処理部に移送される汚泥処理水の量が、それぞれ前記第１の計測手段、前記第２の計測手段、および前記第３の計測手段によって測定された水質に基づいて、調節される、請求項１に記載の汚水処理方法。
【請求項３】
前記システムが、（イ）前記第１貯留槽に流入してくる上澄みの水量とそれに含まれるＢＯＤおよびリンの濃度とに関するデータ、ならびに（ロ）前記第１貯留槽から流出する水量とそれに含まれるＢＯＤおよびリンの濃度とに関するデータから、前記第１貯留槽に含まれるＢＯＤおよびリンの濃度を算出する計算手段をさらに備える、請求項２に記載の汚水処理方法。
【請求項４】
前記生物処理部が、曝気槽からなり、
前記曝気槽におけるＢＯＤとリンとの重量比が、ＢＯＤ１００重量部あたりリン０．３重量部〜１．５重量部の範囲にある、請求項１に記載の汚水処理方法。
【請求項５】
前記生物処理部が、嫌気槽および好気槽からなり、
前記嫌気槽および好気槽におけるＢＯＤの合計とリンの合計との重量比が、ＢＯＤ１００重量部あたりリン１．５重量部〜４重量部の範囲にある、請求項１に記載の汚水処理方法。
【請求項６】
前記第１貯留槽が、複数の貯留槽からなり、前記第１の計測手段によって測定されたＢＯＤ濃度およびリン濃度の値に従って、上澄みを、前記分流手段によって、前記第１沈殿池から前記複数の貯留槽の少なくとも１つに導入することにより、ＢＯＤとリンとの重量比が異なる複数の上澄みが調製される、請求項１に記載の汚水処理方法。
【発明の詳細な説明】
【技術分野】
【０００１】
本発明は、生物処理により排水、下水等の汚水を処理する汚水処理方法、特に富栄養化の原因となるリンなどの栄養塩を除去する高度処理において、生物処理部の水質を制御する方法に関する。
【背景技術】
【０００２】
従来、有機物（ＢＯＤ）とともにリンなどを処理する高度処理においては、活性汚泥プロセスを利用した生物学的除去方法が用いられている。
生物処理部で、微生物によって分解されないかまたは取り込まれないＢＯＤ、あるいはリンは、処理水に含まれたまま系外に排出される。また、微生物に取り込まれたＢＯＤあるいはリンであっても、最終沈殿池で沈降分離されないものは、処理水に含まれたまま系外に排出される。
下水処理場、し尿処理場、事業系の廃水処理などでは、処理水におけるＢＯＤやリンの濃度などの水質には規制値や基準値がある。上記のように、生物処理部において、微生物に適切に分解されないかまたは取り込まれない場合は、規制値や基準値を守れないことになる。特に、流入水の水質変動や活性汚泥の管理状態によっては、従来の生物学的高度処理では、リンの除去能が低下し、十分な処理水質を得られない場合がある。
【０００３】
上記のような問題を解決するために、例えば、特許文献１には、活性汚泥槽として好気領域と嫌気領域とを備える微生物反応槽を用いる生物学的リン除去方法に、凝集剤を加える物理化学的な手法を併用することにより、リン除去を安定に行うことができる水処理プロセスが記載されている。
【０００４】
また、排水、下水等の汚水の水質制御は、例えば、特許文献１の場合には、凝集によりリンを除去する場合に投入される凝集剤の注入量を調節することによって行われている。
また、特許文献２には、汚泥処理プロセス部の脱水装置から水処理プロセス部への返送流のリン酸濃度を測定することにより、水質制御が、脱水装置における汚泥処理量や凝集剤添加量を制御することによって行われることが記載されている。
【特許文献１】特開平１１−１６９８８５号公報
【特許文献２】特開２００２−３２０９５７号公報
【発明の開示】
【発明が解決しようとする課題】
【０００５】
従来の汚水処理法では、上記のように、リンを凝集するために用いられる凝集剤の添加量または汚泥処理プロセスに投入する汚泥量を制御することにより、リン除去性能の安定化が図られてきた。しかし、凝集剤を用いる処理方法では、ランニングコストの増加や、凝集による汚泥量の増加が問題となる。また、汚泥処理プロセスに投入する汚泥量を減少させた場合、排出汚泥等の処分すべき汚泥量が増加するため、ランニングコストがさらに増加する。
【０００６】
そこで、本発明は、効率的にかつ安定に、汚水に含まれる有機物だけでなく、リンをも処理することができる汚水処理方法を提供することを目的とする。
【課題を解決するための手段】
【０００７】
本発明は、
（ａ）汚水に含まれる汚泥を分離する第１沈殿池、
（ｂ）第１沈殿池で生成する上澄みを複数に分流させる分流手段、
（ｃ）分流された上澄みの少なくとも一部を貯留する第１貯留槽、
（ｄ）分流された上澄みの残りが導入される生物処理部、
（ｅ）生物処理部から排出された上澄み処理水に含まれる汚泥を分離する第２沈殿池、
（ｆ）第１沈殿池および第２沈殿池で分離された汚泥が導入される汚泥処理部、ならびに
（ｇ）汚泥処理部から排出された汚泥処理水を、生物処理部に移送する前に、一時的に貯留する第２貯留槽
からなるシステムを用いる汚水処理法に関する。ここで、生物処理部におけるＢＯＤの濃度が調節されるとともに、生物処理部におけるＢＯＤとリンとの重量比は、ＢＯＤ１００重量部あたりリン０．３重量部〜４重量部の範囲になるように、（イ）第１沈殿池から直接生物処理部に移送される上澄みの量、（ロ）第１貯留槽から生物処理部に移送される上澄みの量、および（ハ）第２貯留槽から生物処理部に移送される汚泥処理水の量が調節される。
ここで、ＢＯＤとは、生物処理される有機物を意味する。
【０００８】
本発明の汚水処理方法において、上記システムは、さらに、
（１）第１沈殿池から直接生物処理部に移送される上澄みの水質を測定する第１の計測手段、
（２）第１貯留槽から生物処理部に移送される上澄みの水質を測定する第２の計測手段、ならびに
（３）第２貯留槽から生物処理部に移送される汚泥処理水の水質を測定する第３の計測手段、
を有しており、第１沈殿池から直接生物処理部に移送される上澄みの量、第１貯留槽から生物処理部に移送される上澄みの量、および第２貯留槽から生物処理部に移送される汚泥処理水の量が、それぞれ第１、第２および第３の計測手段によって測定された水質に基づいて、調節されることが好ましい。
【０００９】
本発明の汚水処理方法において、上記システムは、（イ）第１貯留槽に流入してくる上澄みの水量とそれに含まれるＢＯＤおよびリンの濃度とに関するデータ、ならびに（ロ）第１貯留槽から流出する水量とそれに含まれるＢＯＤおよびリンの濃度とに関するデータの少なくとも一方から、第１貯留槽に含まれるＢＯＤおよびリンの濃度を算出する計算手段をさらに備えることが好ましい。
【００１０】
本発明の汚水処理方法において、生物処理部が、曝気槽からなり、曝気槽におけるＢＯＤとリンとの重量比が、ＢＯＤ１００重量部あたりリン０．３重量部〜１．５重量部の範囲にあることが好ましい。
【００１１】
本発明の汚水処理方法において、生物処理部が、嫌気槽および好気槽からなり、嫌気槽および好気槽におけるＢＯＤの合計とリンの合計との重量比が、ＢＯＤ１００重量部あたりリン１．５重量部〜４重量部の範囲にあることが好ましい。
【００１２】
本発明の汚水処理方法において、第１貯留槽が、複数の貯留槽からなり、第１の計測手段によって測定されたＢＯＤ濃度およびリン濃度の値に従って、上澄みを、分流手段によって、第１沈殿池から複数の貯留槽の少なくとも１つに導入することにより、ＢＯＤとリンとの重量比が異なる複数の上澄みが調製されることが好ましい。
【発明の効果】
【００１３】
本発明の汚水処理方法により、汚水の水質が時々刻々変動しても、生物処理部の微生物がリンを過不足なく取り込むことができるため、汚水に含まれる有機物の除去だけでなく、生物学的なリン除去をも効率的かつ安定に行うことができる。
【発明を実施するための最良の形態】
【００１４】
以下に、本発明の汚水処理方法を、図１を参照しながら説明する。
図１は、本発明の汚水処理方法を実施するためのシステムの一実施形態を示す。
【００１５】
本発明の汚水処理方法を実施するためのシステム１０は、汚水に含まれる汚泥を分離する第１沈殿池１１、第１沈殿池で生成する上澄みを複数に分流させる分流手段１２、分流された上澄みの少なくとも一部を貯留する第１貯留槽１３、分流された上澄みの残りが導入される生物処理部１４、生物処理部１４から排出された生物処理水に含まれる汚泥を分離する第２沈殿池１５、第１沈殿池１１および第２沈殿池１５から移送された汚泥を処理する汚泥処理部１６、ならびに汚泥処理部１６から排出された汚泥処理水を、生物処理部１４に移送する前に、一時的に貯留する第２貯留槽１７を備える。
【００１６】
第１沈殿池で生成した上澄みが通過する水路には、第１の計測手段１８が設けられており、第１の計測手段１８により、第１沈殿池１１から生物処理部１４に導入される上澄みの水質が測定される。第１貯留槽１３には、第２の計測手段１９が設けられており、第２の計測手段１９により第１貯留槽１３から生物処理部１４に導入される上澄みの水質が測定される。同様に、第２貯留槽１７には、第３の計測手段２０が設けられており、第２貯留槽１７から生物処理部１４に導入される汚泥処理水の水質が測定される。ここで、水質については、ＢＯＤ濃度および正リン酸濃度が測定される。
また、上記第２の計測手段１９は、第１貯留槽１３と生物処理部１４との間にあってもよく、同様に、第３の計測手段２０は、第２貯留槽１７と生物処理部１４との間にあってもよい。
【００１７】
さらに、第１貯留槽１３および第２貯留槽１７は、それぞれ、上記上澄みおよび汚泥処理水を、生物処理部１４へ移送するための第１移送手段２１および第２移送手段２２を備える。
【００１８】
生物処理部１４としては、微生物の作用により、汚水に含まれる有機物およびリンを処理できるものであれば、特に限定されることなく使用することができる。生物処理部の一例としては、曝気槽、嫌気槽および好気槽からなる生物処理槽等が挙げられる。
汚泥処理部１６としては、濃縮、脱水、消化などのプロセスによって、汚泥に含まれる水分を減少させることができるものを、特に限定されることなく用いることができる。
【００１９】
本発明において、水質に関しては、ＢＯＤ濃度および正リン酸濃度が測定されるため、第１〜３の計測手段としては、例えば、当該分野で公知のＢＯＤ濃度計と正リン酸濃度計との組合せ等が用いられる。また、第１の計測手段１８、第２の計測手段１９、および第３の計測手段２０の各々は、水量を計測する水量計測装置を有していてもよい。
また、第１移送手段２１および第２移送手段２２としては、生物処理部１４への送液量を調節できるものであれば、特に限定されることなく用いることができる。
【００２０】
次に、本発明の汚水処理方法を、具体的に説明する。
まず、排水、下水等の汚水が、第１沈殿池１１に入り、汚水に含まれる不溶性の有機物、無機物などの一部が沈降分離される。第１沈殿池１１で生成された上澄みは、分流手段１２に送られ、その少なくとも一部が第１貯留槽１３に送られ、残りが生物処理部１４に送られる。第１貯留槽１３に送られた上澄みは、第１貯留槽１３に一時的に貯留されたのち、生物処理部１４に移送される。
【００２１】
生物処理部１４では、有機物（ＢＯＤ）等が微生物（汚泥）によって取り込まれる。取り込まれたＢＯＤの一部が、微生物（汚泥）によって、炭酸ガスと水とに分解されて削減される。残りは、微生物の増殖に用いられるため、汚泥の量を増やすことになる。
【００２２】
次いで、生物処理部１４から排出された汚泥を含む生物処理水が、第２沈殿池１５に移送される。第２沈殿池１５では、生物処理水に含まれる汚泥が沈降分離される。汚泥が分離された処理水は、系外に排出される。
【００２３】
上記第１沈殿池１１で沈降分離された固形分、ならびに第２沈殿池１５で沈降分離された固形分の少なくとも一部が、汚泥として引き抜かれ、汚泥処理部１６に移送される。
汚泥処理部１６に移送される汚泥は、その水分率がおよそ９８重量％以上である。汚泥処理部１６では、汚泥が、濃縮、脱水、消化などのプロセスによって、その水分率がおよそ６０〜８０重量％まで固液分離される。分離された固形分は、処分汚泥として処理される。また、分離された汚泥処理水は、第２貯留槽１７に移送されて、一時的に貯留されたのち、生物処理部１４に移送される。この汚泥処理水は、所定の濃度のリン、ＢＯＤ等を含んでいる。
なお、第２沈殿池１５で沈降分離された残りの固形分は、返送汚泥として、生物処理部１４に返送される。
【００２４】
上記のように、生物処理部１４において、微生物（汚泥）に取り込まれたＢＯＤは、一部が炭酸ガスと水とに分解され、残りが炭素源として微生物の増殖に用いられる。生物処理部１４内の微生物は、ＢＯＤを取り込むときに、生物処理部１４内に存在するリンのうち、可溶性のオルトリン酸（ＰＯ43-）（正リン酸）を栄養塩として取り込む。このとき、微生物により取り込まれるＢＯＤとリンとの重量比は、所定の範囲内にあることが知られている。上記ＢＯＤとリンとの重量比において、リンの重量は、オルトリン酸の重量を、リンの重量に換算したものである。なお、オルトリン酸以外の形態で存在するリンのうち、不溶性（懸濁性）のものは、沈殿池にて沈降したり、微生物の汚泥フロック（凝集体）とともに凝集したりするので、排水中から除去することができる。
【００２５】
従って、本発明では、生物処理部１４において、ＢＯＤだけでなく、リンをも同時に処理するために、生物処理部１４におけるＢＯＤとリンとの重量比が、ＢＯＤ１００重量部あたりリン０．３重量部〜４重量部の範囲にあり、かつＢＯＤの量（または濃度）が生物処理部において処理可能な量（または濃度）であるように、分流手段によって直接生物処理部１４に流入する上澄みの量、第１貯留槽１３から生物処理部１４に流入する上澄みの量、および第２貯留槽１７から生物処理部１４に移送される汚泥処理水の量が、調節される。ここで、ＢＯＤとリンとの重量比が上記の範囲にあることにより、生物処理によりＢＯＤとリンとを同時に処理することができる。
【００２６】
本発明において、生物処理部として曝気槽を用い、微生物（汚泥）による好気性分解処理を行う（活性汚泥法）場合には、生物処理部におけるＢＯＤとリンとの重量比を、ＢＯＤ１００重量部あたりリン０．３〜１．５重量部の範囲にあることが好ましい。
【００２７】
また、嫌気槽（前段）および好気槽（後段）からなる生物処理部を用いて、生物脱リンを行う場合には、生物処理部において、ポリリン酸蓄積細菌が高度集積されて、微生物が取り込みうるリン酸の量が多くなる。従って、この場合には、生物処理部におけるＢＯＤとリンとの重量比は、ＢＯＤ１００重量部あたりリン１．５〜４重量部の範囲にあることが好ましい。
【００２８】
さらに、生物処理部において微生物によって処理可能なＢＯＤ量には限界がある。処理可能なＢＯＤ量は、通常、ＢＯＤ−容積負荷（ｋｇ／ｍ3）あるいはＢＯＤ−ＳＳ負荷（ｋｇＢＯＤ／ｋｇＳＳ・日）で表される。本発明において、生物処理部として曝気槽が用いられる場合は、ＢＯＤ−ＳＳ負荷は、およそ０．１〜０．４の範囲である。また、生物処理部が嫌気槽と好気槽からなる場合でも、ＢＯＤ−ＳＳ負荷は、およそ０．１〜０．４の範囲である。
【００２９】
次に、図１を再度参照しながら、生物処理部におけるＢＯＤとリンとの重量比の調節方法の一例を、生物処理部として曝気槽を用いた場合について説明する。
【００３０】
本発明においては、生物処理部１４である曝気槽におけるＢＯＤとリンとの重量比を、第１沈殿池１１から曝気槽に導入される上澄みの量、第１貯留槽１３から曝気槽に導入される上澄みの量、および第２貯留槽１７から曝気槽に導入される汚泥処理水の量の合計に含まれるＢＯＤとリンとの重量比を、ＢＯＤ１００重量部あたりリン０．３〜１．５重量部の範囲に調節することによって、調節している。このように、曝気槽に入ってくる水量の合計に含まれるＢＯＤとリンとの重量比を、予めＢＯＤ１００重量部あたりリン０．３〜１．５重量部の範囲に調節することにより、曝気槽におけるＢＯＤとリンとの重量比を、前記範囲内にあるように維持することができる。
【００３１】
本発明においては、第１沈殿池１１から曝気槽に導入される上澄み、第１貯留槽１３から曝気槽に導入される上澄み、および第２貯留槽１７から曝気槽に導入される汚泥処理水の水質を、それぞれ、第１〜３の計測手段１８〜２０によって測定することにより、第１沈殿池１１から曝気槽に導入される上澄みの量、第１貯留槽１３から曝気槽に導入される上澄みの量、および第２貯留槽１７から曝気槽に導入される汚泥処理水の量が調節される。
【００３２】
第１の計測手段１８、第２の計測手段１９、および第３の計測手段２０で計測されるＢＯＤおよびリンの濃度を、それぞれＢＯＤ18、ＢＯＤ19、ＢＯＤ20、およびＯＰ18、ＯＰ19、ＯＰ20（単位は、ｍｇ／Ｌ）とし、Ｑ18を第１沈殿池１１から曝気槽に分流される上澄み量、Ｑ19を第１貯留槽１３から曝気槽に移送される上澄み量、およびＱ20を第２貯留槽１７から曝気槽に移送される汚泥処理水量であるとすると、水量Ｑ18、Ｑ19、およびＱ20（単位は、ｍ3／所定の単位時間）は、以下の式（１）を満たすようにそれぞれ調節される。
０．３≦｛（ＯＰ18×Ｑ18＋ＯＰ19×Ｑ19＋ＯＰ20×Ｑ20）×１００｝／（ＢＯＤ18×Ｑ18＋ＢＯＤ19×Ｑ19＋ＢＯＤ20×Ｑ20）≦１．５  （１）
つまり、第１沈殿池１１から曝気槽に移送される上澄みの量、第１貯留槽１３から曝気槽に移送される上澄みの量、および第２貯留槽１７から曝気槽に移送される汚泥処理水の量の合計に、ＢＯＤ１００重量部あたりリン０．３〜１．５重量部含まれるように、各々の水量が調節される。
【００３３】
また、同時に、１日あたり、第１沈殿池１１から曝気槽に移送される上澄み、第１貯留槽１３から曝気槽に移送される上澄み、および第２貯留槽１７から曝気槽に移送される汚泥処理水の合計に含まれるＢＯＤの量は、ＢＯＤ−ＳＳ負荷で表した場合に、０．１〜０．４（ｋｇＢＯＤ／ｋｇＳＳ・日）の範囲にあるように調節される。
【００３４】
上記のような計算は、例えば、演算手段等を用いて行うことができる。
【００３５】
また、上記式（１）を満たすように調節された水量Ｑ18、Ｑ19、およびＱ20は、それぞれ、分流手段１２、第１移送手段２１、および第２移送手段２２によって、曝気槽に送られる。分流手段１２、第１移送手段２１、および第２移送手段２２の制御は、演算手段等から送られた結果に従って、分流手段１２、第１移送手段２１、および第２移送手段２２を制御することができる制御手段等を用いて行うことができる。
【００３６】
上記のように、水量Ｑ18、Ｑ19、およびＱ20は、所定の単位時間あたりに生物処理部に送られる水量である。システムに流入する汚水の水質は変化するので、水質の変化に合わせて水量Ｑ18、Ｑ19、Ｑ20を刻々と変動させるのが好ましい。本発明においては、計測手段のレスポンス等を鑑み、水量Ｑ18、Ｑ19、およびＱ20を制御する上記所定の単位時間は、１日以下が好ましく、１時間以下がさらに好ましい。
【００３７】
また、本発明において、生物処理部１４が、嫌気槽と好気槽からなる場合には、水量Ｑ18、Ｑ19、およびＱ20は、以下の式（２）を満たすように調節される。
１．５≦｛（ＯＰ18×Ｑ18＋ＯＰ19×Ｑ19＋ＯＰ20×Ｑ20）×１００｝／（ＢＯＤ18×Ｑ18＋ＢＯＤ19×Ｑ19＋ＢＯＤ20×Ｑ20）≦４     （２）
【００３８】
このとき、１日あたり、嫌気槽と好気槽からなる生物処理部に、第１沈殿池１１から移送される上澄み、第１貯留槽１３から移送される上澄み、および第２貯留槽１７から移送される汚泥処理水の合計に含まれるＢＯＤの量は、ＢＯＤ−ＳＳ負荷で表した場合に、０．１〜０．４（ｋｇＢＯＤ／ｋｇＳＳ・日）の範囲にあるように調節される。
【００３９】
また、本発明にかかる汚水処理システムは、（イ）第１貯留槽に流入してくる上澄みの水量とそれに含まれるＢＯＤおよびリンの濃度とに関するデータから、第１貯留槽に含まれるＢＯＤおよびリンの濃度を算出する計算手段をさらに備えていてもよい。
【００４０】
本発明の場合、第１貯留槽１３に流入する上澄みに含まれるＢＯＤおよびリンの濃度を、それぞれ、第１の計測手段１８によって、測定することができる。また、第１貯留槽１３に流入する上澄みの量は、第１の計測手段１８で測定された上澄みの量から分流手段１２によって生物処理部１４に送られた上澄みの量を引くことによって得られる。
第１貯留槽から生物処理部１４に送られる上澄みの量は、上記のように計算されるので、その移送量は、わかっている。
【００４１】
従って、ある時点で、第１貯留槽内の上澄みの水量とそれに含まれるＢＯＤの濃度およびリンの濃度を測定しておけば、これを基準に任意の時点でのＢＯＤの濃度およびリンの濃度を、計算により求めることができる。
【００４２】
また、この場合、第１の計測手段は、第１沈殿池から流出する上澄みの水量を計測する水量計をさらに有することが好ましく、また第２の計測手段は、第１貯留槽内の上澄みの量を計測する水量計をさらに有することが好ましい。
【００４３】
さらに、本発明において、第１貯留槽は、複数の貯留槽からなり、第１の計測手段によって測定されたＢＯＤの濃度およびリンの濃度の値に従って、上澄みを分流手段によって、複数の貯留槽の少なくとも１つに導入することにより、ＢＯＤとリンとの重量比が異なる複数の上澄みを調製することが好ましい。これにより、流入した汚水の水質が変動しても、ＢＯＤとリンとの重量比が異なる複数の上澄みの少なくとも１つを使用することにより、生物処理部内のＢＯＤとリンとの重量比を、より適切に調節することができる。
【産業上の利用可能性】
【００４４】
本発明の汚水処理方法は、下水など廃水処理における処理水の安定化の方法等として有用である。また、本発明では、生物処理部内の水質を一定に保つことができるため、特定の微生物の培養方法等としても適用が可能である。
【図面の簡単な説明】
【００４５】
【図１】本発明の汚水処理方法を実施するためのシステムの一実施形態を示す。
【符号の説明】
【００４６】
１０  汚水処理システム
１１  第１沈殿池
１２  分流手段
１３  第１貯留槽
１４  生物処理部
１５  第２沈殿池
１６  汚泥処理部
１７  第２貯留槽
１８  第１の計測手段
１９  第２の計測手段
２０  第３の計測手段
２１  第１移送手段
２２  第２移送手段
【図１】
2005169206.tif 000003